(57)【要約】【課題】浮子を利用した油量計において、部品の成形、組立が簡単で、かつ長年の使用によっても、燃料漏れを引き起こすことなく、またデザイン的にも優れた形状の油量計およびその製造方法を提案する。【解決手段】本発明に係る液体燃料タンクの油量計１は、浮子７とアーム６を介して連結した表示指針５が、液体燃料タンク内の液面に浮かぶ浮子７の上昇下降に連動して、油量表示面３１に設けられた表示指針用スリット３２に沿って移動し、液体燃料の内容量を表示する液体燃料タンクの油量計１において、凸面状の油量表示面３１が設けられた油量計本体３と、この油量表示面３１を覆う凸面状の透明カバー２とは、予め成形された合成樹脂製であり、この成形された両者は、金型内で衝合され、両者の衝合部周辺に射出注入された接合用合成樹脂が硬化被覆部４を形成し、合体接合していることを特徴とする。【選択図】図１
2012047568.tif 000002
【特許請求の範囲】
【請求項１】
浮子とアームを介して連結した表示指針が、液体燃料タンク内の液面に浮かぶ浮子の上昇下降に連動して、油量表示面に設けられた表示指針用スリットに沿って移動し、液体燃料の内容量を表示する液体燃料タンクの油量計において、凸面状の油量表示面を有する油量計本体と、この油量表示面を覆う凸面状の透明カバーとは、予め成形された合成樹脂製であり、この成形された両者は、金型内で衝合され、両者の衝合部周辺に射出注入された接合用合成樹脂が硬化被覆部を形成し、合体接合していることを特徴とする液体燃料タンクの油量計。
【請求項２】
浮子と表示指針とを連結するアームは、く字状の形状をした合成樹脂製であり、アームの屈曲部に設けられたアーム支点部は、油量計本体の油量表示面の下方に設けられたアーム支点装着部に回転自在に装着され、表示指針は、浮子の上昇下降に連動して、油量表示面に設けられた表示指針用スリットに沿って移動することを特徴とする請求項１に記載の液体燃料タンクの油量計。
【請求項３】
表示指針とアームとは、同一の合成樹脂により一体成形されていることを特徴とする請求項１または２に記載の燃料タンクの油量計。
【請求項４】
油量表示面に設けられた表示指針用スリットは、その端部が油量表示面の周端部に合致するように設けられていることを特徴とする請求項１〜３のいずれか一項に記載の液体燃料タンクの油量計。
【請求項５】
浮子とアームを介して連結した表示指針が、液体燃料タンク内の液面に浮かぶ浮子の上昇下降に連動して、油量表示面に設けられた表示指針用スリットに沿って移動し、液体燃料の内容量を表示する液体燃料タンクの油量計の製造法において、凸面状の油量表示面を有する油量計本体と、この表示面を覆う凸面状の透明カバーとを、合成樹脂を用いて予め成形し、次いで、この成形された両者を衝合し、金型内に配置し型締めした後、衝合部周辺に接合用合成樹脂を射出注入し、この射出注入樹脂を硬化させ衝合部周辺に硬化被覆部を形成することにより、前記成形された両者を合体接合し、その後、浮子と表示指針とを連結したアームを装着することを特徴とする液体燃料タンクの油量計の製造方法。
【発明の詳細な説明】
【技術分野】
【０００１】
本願発明は、石油ストーブなどの液体燃料燃焼装置に使用される液体燃料タンクの油量計に関する。
【背景技術】
【０００２】
石油ストーブなどの液体燃料燃焼装置に使用される燃料タンクは、燃焼装置本体から取り外し可能なカートリッジタイプのタンクが使用されることが多い。このタイプのタンクでは、タンク内の液体燃料の油量を確認するための透視窓が設けられており、この窓を通して液面を確認することができる。一方、対流型石油ストーブなどでは、通常、燃焼部の下方に燃料タンクが設置される。この燃料タンクでは、タンク内の液面に浮かぶ浮子（フロート）の上昇下降に連動して、このタンク内の液体燃料の内容量を表示指針にて表示する油量計が使用されている。
【０００３】
この油量計では、浮子とアームを介して連結した表示指針が、液体燃料タンク内の液面に浮かぶ浮子の上昇下降に連動して、油量表示面に設けられた表示指針用スリットに沿って移動し、液体燃料の内容量を表示する。この油量計では、油量表示面と透明カバーとの間に表示指針を収納する構造であり、油量表示面を含む油量計本体は金属薄板をプレス加工による打ち抜き、成形にて作成され、成形された本体と透明カバーとはＯ−リングを介して組み上げられている。油量表示面には、表示指針が移動するためのスリットが設けられており、このスリットから、タンク内の液体燃料が表示空間に流れ出てくることがあり、液体燃料が外部へ滲み出てくるのを防ぐため、Ｏ-リングを用いて、油量表示面と透明カバーとをシールしているのである。
【０００４】
このように、浮子を利用した油量計の構造は必ずしも複雑ではなく、組立部品もプレス加工で製造できるが、加工後に塗装作業を要し、透明カバーを含む製品の組立には、組立部品の曲げ加工ないしはネジ止め作業があり、油量計の製造には手間を要していた。そして、このようにして組み立てた油量計は、長期の使用により、ゆるみなどを生じ、燃料漏れを引き起こすこともあった。さらには、金属薄板プレス加工品と透明カバーとの組合せでは、形状的にもデザインが限定されていた。
【発明の概要】
【発明が解決しようとする課題】
【０００５】
本発明の課題は、前記した浮子を利用した油量計において、部品の成形、組立が簡単で、かつ長年の使用によっても、燃料漏れを引き起こすことなく、またデザイン的にも優れた形状の油量計およびその製造方法を提案することである。
【課題を解決するための手段】
【０００６】
本発明に係る液体燃料タンクの油量計は、浮子とアームを介して連結した表示指針が、液体燃料タンク内の液面に浮かぶ浮子の上昇下降に連動して、油量表示面に設けられた表示指針用スリットに沿って移動し、液体燃料の内容量を表示する液体燃料タンクの油量計において、凸面状の油量表示面が設けられた油量計本体と、この油量表示面を覆う凸面状の透明カバーとは、予め成形された合成樹脂製であり、この成形された両者は、金型内で衝合され、両者の衝合部周辺に射出注入された接合用合成樹脂が硬化被覆部を形成し、合体接合していることを特徴とする。
【０００７】
上記油量計において、浮子と表示指針とを連結するアームは、く字状の形状をした合成樹脂製であり、アームの屈曲部に設けられたアーム支点部は、油量計本体の油量表示面の下方に設けられたアーム支点装着部に回転自在に装着され、表示指針は、浮子の上昇下降に連動して、油量表示面に設けられた表示指針用スリットに沿って移動することを特徴とし、そして、表示指針とアームとは、同一の合成樹脂により一体成形されていることが好ましい。さらに、油量表示面に設けられた表示指針用スリットは、その端部が油量表示面の周端部に合致するように設けられていることも特徴とする。
【０００８】
さらに、上記の油量計の製造方法として、凸面状の油量表示面を有する油量計本体と、この表示面を覆う凸面状の透明カバーとを、合成樹脂を用いて予め成形し、次いで、この成形された両者を衝合し、金型内に配置し型締めした後、衝合部周辺に接合用合成樹脂を射出注入し、この射出注入樹脂を硬化させ衝合部周辺に硬化被覆部を形成することにより、前記成形された両者を合体接合し、その後、浮子と表示指針とを連結したアームを装着することを特徴とする製造方法も提供する。
【発明の効果】
【０００９】
本発明の油量計は、予め成形された合成樹脂製の透明カバーと油量計本体とを、接合用樹脂を射出注入し、合体接合することで製造されるため、組立工程は一工程で行うことができ、またその接合部分も完全に一体化しているため、接合部が経時変化により緩んだりすることがない。そして、各部品を予め成形する際に、着色した合成樹脂を用いることにより、塗装工程を必要とすることなく組立工程を行うことができ、製造工程も簡略化できるだけでなく、デザイン的にも外観の優れた油量計とすることができる。
【００１０】
さらに、油量計の油量表示面は、凸面状であり、デザイン的に見て美しいだけでなく、表示面に設けられた表示指針用のスリットから、タンク内の液体燃料が流れ出てきても表示面の周端部に集めることができ、そして、燃料の量が多くなると、またスリットの端部を経由してタンク戻すことができる。この場合、スリットの端部が周端部に合致するようにしておけば、液体燃料が表示面に溜まることがない。さらに、アームに取り付けられた表示指針はアーム支点部を中心として円弧を描いて移動するため、凸面状の油量表示面に沿って移動し、機能的にもデザイン的にも優れている。
【００１１】
従来の油量計では、表示用指針とアームとは金属薄板のプレス加工で製造されているため、指針の矢は一方方向のみに折り曲げてあるのが普通であり、両方向を指し示すようにするには工程が複雑になるため、表示指針はスリットの一方の側のみを指し示すものが普通であった。しかし、本発明では、表示指針とアームとを一体成形しても、合成樹脂を用いた成形加工であり、一方向でも二方向でも工程には差がなく、スリットの両方向に矢を有する指針が簡単にできるため、スリットの両側を指し示すことができるデザインとすることが容易にできる。
【図面の簡単な説明】
【００１２】
【図１】本発明の実施例の油量計の斜視図である。
【図２】本発明の実施例の油量計の組立説明図である。
【図３】透明カバーの上面図、正面図、下面図、側面図および斜視図である。
【図４】油量計本体の上面図、正面図、下面図、側面図および斜視図である。
【図５】合体接合された透明カバーと油量計本体の正面図および断面図である。
【図６】透明カバーと油量計本体とを合体接合する工程の断面説明図である。
【発明を実施するための形態】
【００１３】
以下本発明を図により詳細に説明を行う。図１は本発明の実施例である油量計１の斜視図である。油量計１は、凸面状の油量表示面３１を有する油量計本体３と、凸面状の透明カバー２とが、接合用合成樹脂の硬化被覆部４により合体接合されている。そして、保護カバー２と油量表示面３１との間には、スリット３１を貫通したアーム６に取り付けられた表示指針５が収められている。表示指針５はアーム６を介して浮子７と連結している。アーム６は図２に示すように、く字状の形状をしており、アームの屈曲点には支点突起６１が設けられており、この支点突起６１が、油量計本体３のアーム支点装着孔３６に回転自在に装着され、図１に示すような構造となっている。そのため、表示指針５は、浮子７の上昇下降に連動して、表示用スリット３２に沿って移動する。浮子７は燃料タンク内において液面に浮いており、燃料が減少するにつれて液面と共に下降し、それに連動して、表示指針５は向かって右方向に移動して、空の状態を示すＥ（Empty）の表示を指し示すようになる。その一方浮子７は、燃料が増加するにつれて液面と共に上昇し、それに連動して、表示指針５は向かって左方向に移動して、満杯の状態を示すＦ（Full）の表示を指し示すようになる。
【００１４】
図２は油量計１の製造方法を示す組立説明図である。予め射出成形などにより成形した凸面状の透明カバー２を、同じように成形した油量計本体３に矢印で示すように、衝合用突起２１と衝合用凹穴３５とを嵌め合わせて衝合し、次いで衝合部周辺を接合用合成樹脂で被覆し硬化させて、硬化被覆部４を形成し、透明カバー２と油量計本体３とを接合し、合体接合体１０とする。
【００１５】
また、アーム６は表示指針５と一体化して射出成形などにより成形されている。このアーム６に、浮子７の係止用凹穴７１とアーム６の浮子係止用突起６２とを嵌め合わせて、浮子７を装着し、表示指針５と浮子７とを連結させる。次いで、表示指針５を、スリット３２を通過させて、保護カバー２と油量表示面３１との間に収めると共に、この浮子７を装着したアーム６を、前記したように支点突起６１を油量計本体３のアーム支点装着孔３６に回転自在に装着する。このようにして、合体接合体１０にアーム６を装着し、図１に示す油量計１を製造することができる。この場合、浮子７を連結していないアーム６を合体接合体１０に装着した後に、浮子７を装着することでもよい。
【００１６】
浮子７は中空の合成樹脂成形体であってもよいが、合成樹脂発泡体であることが好ましく、特に発泡フェノール樹脂が好ましい。
【００１７】
図３には透明カバー２の上面図３Ａ、正面図３Ｂ、下面図３Ｃ、Ａ−Ａ線断面図３Ｄ、および斜視図３Ｅを示す。透明保護カバー２には衝合用突起２１が設けられており、前記したように油量計本体３と衝合する際に、衝合用凹穴３５と嵌め合わされる。この場合、突起と凹穴とは組合せとなっておればよく、いずれかが突起であり、他方が凹穴であればよい。このことは、前述のアームの装着や浮子の装着においても同様である。
【００１８】
図４には油量計本体３の上面図４Ａ、正面図４Ｂ、下面図４Ｃ、側面図４Ｄ、および斜視図４Ｅを示す。油量表示面３１には表示指針用スリット３２が設けられているが、このスリット３２の端部は表示面周端部３４に合致させている。このようにすることで、表示指針用スリット３２を通して、燃料タンク内の燃料が表示面に漏れ出しても、油量表示面３１が凸面状であるため、漏れだした燃料は表示面周端部３４に集まった後、表示指針用スリット３２の端部から燃料タンクに戻すことができる。また油量表示面３１には、タンク内の油量を示す表示３３が付されている。この表示３３は、楔形と満杯を示すＦと空を示すＥとが赤色や黒色など、普通に用いられているものと同じである。この表示は、油量計本体３の成形後、スクリーン印刷や転写などの手法を用いて、印字することができる。
【００１９】
図５は合体接合体１０の正面図５ＡとＢ−Ｂ線断面図５Ｂである。透明カバー２と油量計本体３とは、衝合用突起２１と衝合用凹穴３５とを嵌め合わすことで衝合され、衝合部周辺を覆う硬化被覆部４により合体接合され、合体接合体１０となっている。
【００２０】
図６は透明保護カバー２と油量計本体３とを、合体接合する工程の断面説明図であり、透明保護カバー２と油量計本体３とを衝合し、仮接合した状態で、金型８１と８２との中に配置して型締めを行い、接合用合成樹脂９を充填し、硬化させている状態を示している。接合用合成樹脂９は金型８１、８２の側面スプルー８３から、ゲート８４を経由して、金型８１、８２と仮接合体とでつくられるキャビティー内に射出注入される。射出注入により充填された接合用合成樹脂９は硬化して、衝合部周辺を覆う硬化被覆部４となる。接合用合成樹脂９を硬化させた後、金型を開き、ゲート８４にて硬化した合成樹脂を切断し、合体接合体１０とする。
【００２１】
上記のようにして透明カバー２と油量計本体３とを接合した合体接合体１０に、前記したように表示指針５と浮子７とを装着したアーム６を装着して、油量計１を組み立てることができる。
【００２２】
本発明においては、透明カバーなどの部品は、合成樹脂を用いて射出成形などにより作成され、組み立てて油量計とする。ここで用いられる合成樹脂は液体燃料タンクに用いられるため、耐油性のある合成樹脂が用いられ、例えば、ポリエチレンテレフタレート（ＰＥＴ）樹脂、ポリブチレンテレフタレート（ＰＢＴ）樹脂、およびこれらの混合樹脂（ＰＢＴ／ＰＥＴ樹脂）、ポリカーボネート樹脂、ポリアミド樹脂、ポリアセタール樹脂、ポリ塩化ビニル樹脂（硬質）、フッ素樹脂などの熱可塑性樹脂やフェノール樹脂などの熱硬化性樹脂を用いることができる。各部品を作るのに好ましい樹脂としては、透明カバーとしてはポリカーボネート樹脂、油量計本体および接合用合成樹脂としてはＰＢＴ／ＰＥＴ樹脂、表示用指針およびアームとしてはポリアセタール樹脂、浮子としては前記したように発泡フェノール樹脂を例示することができる。これらの樹脂としては、ポリマーだけでなく、必要により顔料などの各種充填材、着色材、難燃剤、安定剤などの添加物が加えられる。
【００２３】
以上説明した本発明の油量計は、液体燃料燃焼装置の燃料タンクの上部面に設けた、油量計収納孔に、油量計本体３を差し込み装着し、油量表示面３１や保護カバー２を燃料タンク上部に設置する。この設置により、アーム６と浮子７はタンク内に収められ、浮子７は燃料液面に浮かぶようになり、前記したように、燃料の増加、減少に伴い上昇下降し、油量指針５を移動させ、油量を表示する。
【００２４】
また以上の説明において、本発明の油量計を示した図では油量表示面および透明カバーとして円形のものを示したが、この形状は特に限定されることはなく、楕円形や矩形その他の多角形など、燃焼装置の外観デザインに沿って種々の形状を選択できる。その他アームの形状も、本発明の趣旨を満たすものであれば、種々の形状とすることもできる。
【産業上の利用可能性】
【００２５】
本発明の油量計は、石油ストーブ特に対流型石油ストーブの燃料タンクに好ましく適用されるが、石油ストーブに限られることなく、液体燃料燃焼装置の燃料タンクに用いることができる。
【符号の説明】
【００２６】
１    油量計
２    透明カバー
２１    衝合用突起
３    油量計本体
３１    油量表示面
３２    表示指針用スリット
３３    表示
３４    表示面周端部
３５    衝合用凹穴
３６    アーム支点装着孔
４    硬化被覆部
５    表示指針
６    アーム
６１    支点突起
６２    浮子係止用突起
７    浮子
７１    係止用凹穴
８１    金型
８２    金型
８３    スプルー
８４    ゲート
９    被覆用注入樹脂
１０  合体接合体
【図１】
2012047568.tif 000003
【図２】
2012047568.tif 000004
【図３】
2012047568.tif 000005
【図４】
2012047568.tif 000006
【図５】
2012047568.tif 000007
【図６】
2012047568.tif 000008